(57)【要約】【課題】  本発明は建築、構築物の内壁材、外壁材、屋根材、天井材、床材、間仕切り材、あるいは防火戸、等として使用できる外装材に関するものである。【解決手段】  左右端部に雄雌連結構造を有する長尺状の外装材Ａにおいて、化粧面６の雄雌連結構造端部に凹部９を形成した外装材Ａである。【選択図】図１
2006169865.tif 000002
【特許請求の範囲】
【請求項１】
左右端部に雄雌連結構造を有する長尺状の外装材において、化粧面の雄雌連結構造端部に凹部を形成したことを特徴とする外装材。
【発明の詳細な説明】
【技術分野】
【０００１】
本発明は建築、構築物の内壁材、外壁材、屋根材、天井材、床材、間仕切り材、あるいは防火戸、等として使用できる外装材に関するものである。
【背景技術】
【０００２】
一般に、金属製板材をロール成形、プレス成形等して加工した外装材は数多く上市され、その形状は、所謂落とし込み構造であった。（例えば、特許文献１〜５参照）。
【０００３】
【特許文献１】特開平１１−１７２８８４号公報
【特許文献２】特開平１１−１７２８９２号公報
【特許文献３】特開平１１−２１０１４９号公報
【特許文献４】特開２００２−２２０９０８号公報
【特許文献５】特開２００２−２３５４２３号公報
【発明の開示】
【発明が解決しようとする課題】
【０００４】
特許文献１〜５は落とし込み構造であるが、意匠生に乏しく、重厚感、存在感、高級感、等に欠けるものであった。
【課題を解決するための手段】
【０００５】
本発明はこのような欠点を解決するために、左右端部に雄雌連結構造を有する長尺状の外装材において、化粧面の雄雌連結構造端部に凹部を形成した外装材を提供するものである。
【発明の効果】
【０００６】
本発明に係る外装材によれば、（１）連結目地部分にメリハリがきいた外装となる。（２）重厚感のある外装となる。（３）高級感のある外装となる。（４）割石調の外装を形成できる。（５）金属のイメージを払拭できる。等の特徴、効果がある。
【発明を実施するための最良の形態】
【０００７】
以下に図面を用いて、本発明に係る外装材の一実施例について詳細に説明する。すなわち、外装材Ａは図１（ａ）、（ｂ）（部分断面図）、図２（ａ）、（ｂ）（部分拡大斜視図）に示すように、表面材１と裏面材２で例えば合成樹脂発泡体からなる芯材３を、サンドイッチした外装材Ａである。また、図３は施工状態を示す断面図である。
【０００８】
外装材Ａの全体形状の一例としては図１（ａ）、（ｂ）、図２（ａ）に示すように、長尺で金属製の薄板からなる表面材１と裏面材２間に芯材３をサンドイッチし、幅方向の一端に形成した雄型連結部４、他端に形成した雌型連結部５とから形成し、化粧面６の上下端部に側壁７、側壁８を形成し、側壁７、あるいは側壁８、もしくは側壁７と側壁８の両方を凹状に窪ませて、凹部９を一定間隔で連続的に形成したものである。なお、図１（ａ）、（ｂ）、図２（ａ）、（ｂ）は側壁７を凹状に窪ませて、凹部９を一定間隔で形成したものである。また、図３において、αは躯体、βは固定具、γは通気路である。勿論、外装材Ａとしては、窯業系サイディング、金属系パネル、セラミック材、ＡＬＣパネル、等よりなるものでも良いものである。
【０００９】
表面材１と裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、裏面材２はアルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【００１０】
芯材３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、特に耐火性を必要とする場合にはレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。勿論、芯材３としてロックウール、グラスウール、セラミックウール等の無機材を使用しても良いものである。
【００１１】
凹部９は図４に示すように、図では横目地部分に一定間隔で形成されるために、目地部分のコントラストを強化し、意匠生に乏しい金属製サイディング材に、重厚感、存在感、高級感、を醸し出すものである。
【００１２】
また、目地部分の角部分が一定間隔で面取りされた状態となるために、意匠的に金属製サイディング材では出せなかった、石割調の外装を形成することができるものである。勿論、外装材Ａは図では横張りで形成しているが、縦張りでも形成できるものである。
【００１３】
以上説明したのは本発明に係る外装材の一実施例にすぎず、図５（ａ）、（ｂ）〜図１０（ａ）、（ｂ）に示すように外装材Ａを形成することもできる。
【００１４】
図５（ａ）、（ｂ）、図６（ａ）、（ｂ）は雌型連結部５側の側壁８に凹部９を形成した外装材Ａのその他の実施例を示す説明図である。
【００１５】
図７（ａ）、（ｂ）、図８（ａ）、（ｂ）は雄型連結部４の側壁７と、雌型連結部５の側壁８に凹部９を形成した外装材Ａのその他の実施例を示す説明図である。
【００１６】
図９（ａ）、（ｂ）、図１０（ａ）、（ｂ）は外装材Ａのその他の実施例を示す斜視図である。
【図面の簡単な説明】
【００１７】
【図１】本発明に係る外装材の代表例を示す断面図である。
【図２】本発明に係る外装材の代表例を示す斜視図である。
【図３】本発明に係る外装材の施工状態を示す断面図である。
【図４】本発明に係る外装材の施工状態を示す説明図である。
【図５】本発明に係る外装材のその他の例を示す斜視図である。
【図６】本発明に係る外装材のその他の例を示す斜視図である。
【図７】本発明に係る外装材のその他の例を示す斜視図である。
【図８】本発明に係る外装材のその他の例を示す斜視図である。
【図９】本発明に係る外装材のその他の例を示す斜視図である。
【図１０】本発明に係る外装材のその他の例を示す斜視図である。
【符号の説明】
【００１８】
α  躯体
β  固定具
γ  通気路
Ａ  外装材
１  表面材
２  裏面材
３  芯材
４  雄型連結部
５  雌型連結部
６  化粧面
７  側壁
８  側壁
９  凹部
【図１】
2006169865.tif 000003
【図２】
2006169865.tif 000004
【図３】
2006169865.tif 000005
【図４】
2006169865.tif 000006
【図５】
2006169865.tif 000007
【図６】
2006169865.tif 000008
【図７】
2006169865.tif 000009
【図８】
2006169865.tif 000010
【図９】
2006169865.tif 000011
【図１０】
2006169865.tif 000012